(57)【要約】      （修正有）【課題】防火性を向上できる建具用面材及び建具を提供する。【解決手段】表面材２２，２３の相互間に配設され、戸先となる縁部に切欠部２５が設けられた本体芯材２４と、本体芯材２４の切欠部２５に装着され、内部に錠ユニット４０Ｂを収容した錠部芯材３０と、表面材２２の表面に取り付けたハンドル５０Ａとを備え、表面材２２に形成した切欠孔及び錠部芯材に形成した開口部３７Ａを介して錠ユニット４０Ｂとハンドル５０Ａのキーシリンダ５６との間を連係することにより、ハンドル５０Ａからの操作によって錠ユニット４０Ｂの係合部材が動作可能となるドアパネル２０であって、錠部芯材の開口部３７Ａには、キーシリンダ５６の周囲を取り囲むように錠カバー６０が設けられ、錠カバー６０においてキーシリンダ５６に対向する部位に熱膨張性部材６３が設けられている。【選択図】図８
2020029690.tif 000002
【特許請求の範囲】
【請求項１】
表面材の相互間に配設され、戸先となる縁部に切欠部が設けられた本体芯材と、
前記本体芯材の切欠部に装着され、内部に錠ユニットを収容した錠部芯材と、
前記表面材の表面に取り付けたハンドルと
を備え、前記表面材に形成した切欠孔及び前記錠部芯材に形成した開口部を介して前記錠ユニットと前記ハンドルの操作出力部との間を連係することにより、前記ハンドルからの操作によって前記錠ユニットの係合部材が動作可能となる建具用面材であって、
前記錠部芯材の開口部には、前記操作出力部の周囲を取り囲むように錠カバーが設けられ、
前記錠カバーにおいて前記操作出力部に対向する部位に熱膨張性部材が設けられていることを特徴とする建具用面材。
【請求項２】
前記錠部芯材の開口部は矩形状の開口を有したものであり、
前記錠カバーは、矩形状を成す基準プレート部の四辺にそれぞれ支持プレート部を有したものであり、
前記基準プレート部には、前記操作出力部を挿通可能とする挿通孔が設けられ、
前記支持プレート部の内方側表面に前記熱膨張性部材が取り付けられていることを特徴とする請求項１に記載の建具用面材。
【請求項３】
前記錠カバーには、前記支持プレート部よりも外周側に突出する爪部が設けられ、
前記錠部芯材において前記開口部の周囲となる部位の表面には、前記爪部に係合する係止凹部が設けられていることを特徴とする請求項２に記載の建具用面材。
【請求項４】
請求項１〜請求項３のいずれか１つに記載した建具用面材と、建具用面材を開閉可能に支持する枠体とを備えたことを特徴とする建具。
【発明の詳細な説明】
【技術分野】
【０００１】
本発明は、ドアパネル等のように、表面材の相互間に配設した錠ユニットを表面材の表面に取り付けたハンドルの操作によって動作させるようにした建具用面材及び建具に関するものである。
【背景技術】
【０００２】
玄関ドア等に用いられる建具用面材には、表面材の相互間に配設される本体芯材の戸先となる縁部に切欠部を設け、錠ユニットを収容した錠部芯材をこの切欠部に装着したものが提供されている。この面材では、表面材の相互間に本体芯材及び錠部芯材が介在するため、断熱性の点で有利となる（例えば、特許文献１参照）。
【０００３】
この種の面材では、表面材の相互間に配設した錠ユニットと、表面材の表面に取り付けたハンドルの操作出力部との間を連係するため、表面材に切欠孔が設けられ、錠部芯材に開口部が設けられている。すなわち、ハンドルから突出した操作出力部を表面材の切欠孔及び錠部芯材の開口部に挿通させることによって錠部芯材に収容された錠ユニットと操作出力部との間を連係するようにしている。
【先行技術文献】
【特許文献】
【０００４】
【特許文献１】特開２０１７−１８００１７号公報
【発明の概要】
【発明が解決しようとする課題】
【０００５】
ところで、表面材の相互間に本体芯材や錠部芯材を配設した面材では、火災発生時において本体芯材や錠部芯材から可燃性ガスが発生する場合がある。上述したように、表面材には、切欠孔が設けられている。このため、面材の防火性を考慮すると、表面材の相互間に可燃性ガスが発生した場合に、切欠孔を通じて外部に漏出し得るという懸念がある。
【０００６】
本発明は、上記実情に鑑みて、防火性を向上できる建具用面材及び建具を提供することを目的とする。
【課題を解決するための手段】
【０００７】
上記目的を達成するため、本発明に係る建具用面材は、表面材の相互間に配設され、戸先となる縁部に切欠部が設けられた本体芯材と、前記本体芯材の切欠部に装着され、内部に錠ユニットを収容した錠部芯材と、前記表面材の表面に取り付けたハンドルとを備え、前記表面材に形成した切欠孔及び前記錠部芯材に形成した開口部を介して前記錠ユニットと前記ハンドルの操作出力部との間を連係することにより、前記ハンドルからの操作によって前記錠ユニットの係合部材が動作可能となる建具用面材であって、前記錠部芯材の開口部には、前記操作出力部の周囲を取り囲むように錠カバーが設けられ、前記錠カバーにおいて前記操作出力部に対向する部位に熱膨張性部材が設けられていることを特徴とする。
【発明の効果】
【０００８】
本発明によれば、火災発生時においては錠カバーに設けた熱膨張性部材が膨張し、膨張した熱膨張性部材によって表面材の切欠孔が閉塞されることになる。しかも、錠カバーにはハンドルの操作出力部が挿通している。このため、錠カバーが装着された錠部芯材が溶融、もしくは焼失したとしても、錠カバーが脱落するおそれはなく、切欠孔を閉塞することが可能である。これらの結果、表面材の相互間に可燃性ガスが発生した場合にも、この可燃性ガスが切欠孔を通じて外部に漏出する事態を防止することができ、防火性の点で有利となる。
【図面の簡単な説明】
【０００９】
【図１】本発明の実施の形態である面材を適用した建具を室外側から見た図である。
【図２】図１に示した建具の要部を拡大して示す横断面図である。
【図３】図１に示した建具の面材を戸先側から見た要部拡大図である。
【図４】図１に示した建具の面材を室内側から見たもので、表面材及びハンドルを取り外した状態の図である。
【図５】図１に示した建具の面材に適用する表面材を示すもので、（ａ）は室外側の表面材を示す図、（ｂ）は室内側の表面材を示す図である。
【図６】図１に示した建具の面材に適用する本体芯材及び錠部芯材を室内側から見た分解斜視図である。
【図７】図１に示した建具の面材に適用する本体芯材及び錠部芯材を室外側から見た分解斜視図である。
【図８】図１に示した建具の面材にハンドルを取り付ける状態を示す縦断面一部拡大図である。
【図９】図６に示した錠部芯材の開口部に装着する錠カバーを示すもので、（ａ）は室内側から見た斜視図、（ｂ）は室外側から見た斜視図である。
【発明を実施するための形態】
【００１０】
以下、添付図面を参照しながら本発明に係る建具用面材及び建具の好適な実施の形態について詳細に説明する。
図１〜図４は、本発明の実施の形態である建具用面材を適用した建具を示したものである。ここで例示する建具は、家屋の玄関に用いられるドアであり、枠体１０と、ヒンジ１を介して枠体１０に開閉可能に支持させたドアパネル（建具用面材）２０とを備えている。枠体１０は、上枠１１、下枠１２及び左右の縦枠１３，１４を四周枠組みすることによって構成したものである。ドアパネル２０は、四周枠組みした骨材２１の２つの表面にそれぞれ表面材２２，２３を配設し、さらに表面材２２，２３の相互間において骨材２１によって囲まれる領域に本体芯材２４を配設することによって構成してある。表面材２２，２３は、図５に示すように、ドアパネル２０とほぼ同じ大きさの矩形状を成すもので、鋼材等の金属によって成形した薄板状を成すものである。本体芯材２４は、ＥＰＳ（発泡スチロール：Ｅｘｐａｎｄｅｄ  Ｐｏｌｙ−Ｓｔｙｒｅｎｅ）等のように断熱性を有した厚板状を成すものである。本体芯材２４の表面と表面材２２，２３との間は、それぞれ接着材によって接着してある。
【００１１】
上述した本体芯材２４には、図４、図６及び図７に示すように、切欠部２５、嵌合溝２６、嵌合凹部２７が設けてある。切欠部２５は、本体芯材２４の戸先となる見込み面２４ａにおいて高さ方向のほぼ中央となる部位に設けた矩形状を成す空所である。この切欠部２５は、本体芯材２４を貫通し、かつ戸先となる見込み面２４ａに開口している。嵌合溝２６は、切欠部２５の上隅部から上方に向けて延在した幅の小さい矩形状の切欠であり、切欠部２５と同様、本体芯材２４を貫通するように形成してある。嵌合凹部２７は、切欠部２５の下隅部から下方に向けて形成した凹所である。この嵌合凹部２７は、本体芯材２４の室内に臨む表面２４ｂにのみ開口するもので、嵌合溝２６よりも左右の幅が大きく形成してある。
【００１２】
ここで、見込み面とは、見込み方向に沿った面のことである。見込み方向とは、図中の矢印Ａで示すように、建具の奥行きに沿った方向である。
【００１３】
本体芯材２４の切欠部２５には、錠部芯材３０が装着してある。錠部芯材３０は、図６及び図７に示すように、直方体状を成す基部３１と、基部３１の上部に設けた上方突起３２と、基部３１の下部に設けた下方突起３３とを有したものである。基部３１は、本体芯材２４の切欠部２５に嵌合することのできる大きさで、本体芯材２４とほぼ同じ板厚を有するように構成したものである。基部３１を切欠部２５に嵌合させた場合には、基部３１の戸先側となる一端面３１ａと、本体芯材２４の戸先となる見込み面２４ａとが互いにほぼ同一の平面上に位置することになる。上方突起３２は、基部３１の上面において他端面３１ｂ側から上方に突出し、基部３１が本体芯材２４の切欠部２５に嵌合された場合に本体芯材２４の嵌合溝２６に嵌合するものである。この上方突起３２は、見込み方向に沿った寸法が、本体芯材２４の板厚よりも小さく構成してあり、基部３１を本体芯材２４の切欠部２５に嵌合した場合に外部に突出することはない。下方突起３３は、基部３１の下面において他端面３１ｂ側から下方に突出し、基部３１が本体芯材２４の切欠部２５に嵌合された場合に本体芯材２４の嵌合凹部２７に装着されるものである。この下方突起３３は、嵌合凹部２７の深さとほぼ同じ板厚を有しており、嵌合凹部２７に装着された場合に室内に臨む表面が本体芯材２４の表面とほぼ同じ平面上に位置するようになる。また、下方突起３３は、左右に沿った寸法が嵌合凹部２７とほぼ同じ寸法となるように構成してある。
【００１４】
上記の構成を有する錠部芯材３０は、上方突起３２が嵌合溝２６に嵌合し、かつ下方突起３３が嵌合凹部２７に装着される姿勢の場合にのみ基部３１を本体芯材２４の切欠部２５に嵌合させることが可能となる。つまり、錠部芯材３０が上下逆向きの姿勢や左右逆向きの姿勢では、上方突起３２及び下方突起３３が本体芯材２４と干渉し、基部３１を切欠部２５に嵌合させることができない。従って、この建具によれば、本体芯材２４に対して常に錠部芯材３０を正しい姿勢で、換言すれば本体芯材２４に対して上下左右が正しい向きとなる姿勢で、切欠部２５に嵌合させることが可能となる。また、上方突起３２が嵌合溝２６に嵌合した場合には、錠部芯材３０が本体芯材２４からの脱落が規制された仮止め状態となる。従って、ドアパネル２０を組み立てる際に錠部芯材３０を手で押さえておく必要がなく、作業性の点で有利となる。
【００１５】
上述した錠部芯材３０の基部３１には、図４に示すように、互いに上下となる位置に錠ユニット４０Ａ，４０Ｂが収容してある。これらの錠ユニット４０Ａ，４０Ｂは、それぞれが直方体状を成すケース本体４１Ａ，４１Ｂと、ケース本体４１Ａ，４１Ｂの一端面となる部位に設けたフランジ状のボスプレート４２Ａ，４２Ｂとを有したもので、ボスプレート４２Ａ，４２Ｂが戸先側において外部に露出する状態でそれぞれのケース本体４１Ａ，４１Ｂが錠部芯材３０の基部３１に収容してある。２つの錠ユニット４０Ａ，４０Ｂは、互いにほぼ同じ外形寸法を有しており、ケース本体４１Ａ，４１Ｂの左右方向に沿った寸法が基部３１の左右に沿った幅寸法よりも小さく構成してある。上方に配置される錠ユニット（以下、区別する場合に上方錠ユニット４０Ａという）には、ボスプレート４２Ａに対して上方デッドボルト（係合部材）４３Ａ及びラッチボルト（係合部材）４４Ａが出没可能に配設してある。下方に配置される錠ユニット（以下、区別する場合に下方錠ユニット４０Ｂという）には、ボスプレート４２Ｂに対して下方デッドボルト（係合部材）４３Ｂが出没可能に配設してある。
【００１６】
図には明示していないが、本実施の形態では、ケース本体４１Ａ，４１Ｂの内部に電動アクチュエータを備え、電動アクチュエータの駆動によってデッドボルト４３Ａ，４３Ｂの出没状態を変更することが可能な電動式の錠ユニット４０Ａ，４０Ｂを適用している。電動アクチュエータを駆動するための電源は、下方錠ユニット４０Ｂのケース本体４１Ｂに接続された電源ケーブル（図示せず）を通じて外部の商用電源から供給されることになる。また、下方錠ユニット４０Ｂと上方錠ユニット４０Ａとの間は、それぞれケース本体４１Ａ，４１Ｂに接続した連携ケーブル（図示せず）によって電気的に接続してあり、相互間において電源の供給及び通信を行うことが可能である。なお、錠ユニット４０Ａ，４０Ｂとしては、必ずしも電動式のものを適用する必要はない。
【００１７】
このドアパネル２０には、図２及び図３に示すように、室外側の表面材（以下、区別する場合に外表面材２２という）及び室内側の表面材（以下、区別する場合に内表面材２３という）においてそれぞれの戸先となる部分に室外ハンドル５０Ａ及び室内ハンドル５０Ｂが配設してある。室外ハンドル５０Ａ及び室内ハンドル５０Ｂは、図３に示すように、上下に延在する操作部５１Ａ，５１Ｂの両端部に取付部５２Ａ，５２Ｂを備えたもので、取付部５２Ａ，５２Ｂが上方錠ユニット４０Ａ及び下方錠ユニット４０Ｂに対応した位置に配置された状態でドアパネル２０に取り付けてある。ドアパネル２０に取り付けられたハンドル５０Ａ，５０Ｂは、取付部５２Ａ，５２Ｂに対して操作部５１Ａ，５１Ｂを操作することが可能である。また、室外ハンドル５０Ａの２つの取付部５２Ａには、それぞれ金属製のキーシリンダ（操作出力部）５６が設けてあり、室内ハンドル５０Ｂの２つの取付部５２Ｂには、それぞれサムターン（操作出力部）５３が設けてある。
【００１８】
図には示していないが、これらのハンドル５０Ａ，５０Ｂは、ラッチボルト４４Ａ、上方デッドボルト４３Ａ及び下方デッドボルト４３Ｂの出没状態を変更できるように、上方錠ユニット４０Ａ及び下方錠ユニット４０Ｂに連係してある。具体的に説明すると、室外ハンドル５０Ａにおいては、取付部５２Ａに対して操作部５１Ａを開き操作すると、ラッチボルト４４Ａがケース本体４１Ａに対して没入するように上方錠ユニット４０Ａに連係してある。また、キーシリンダ５６と下方錠ユニット４０Ｂとの間には、図示せぬハンドル側ケーブルが設けてある。このため、キーシリンダ５６にキー（図示せず）を挿入して施解錠操作を行った場合には、上方錠ユニット４０Ａ及び下方錠ユニット４０Ｂのデッドボルト４３Ａ，４３Ｂの出没状態を切り替えることができる。室内ハンドル５０Ｂにおいては、取付部５２Ｂに対して操作部５１Ｂを開き操作すると、ラッチボルト４４Ａがケース本体４１Ａに対して没入するように上方錠ユニット４０Ａに連係してある。また、それぞれのサムターン５３を施解錠操作すると、上方錠ユニット４０Ａ及び下方錠ユニット４０Ｂのデッドボルト４３Ａ，４３Ｂの出没状態を切り替えることが可能である。
【００１９】
図５（ａ）に示すように、外表面材２２には、室外ハンドル５０Ａの上方に取り付けられる取付部５２Ａに対応する部位に第１外上方切欠孔２２ａ及び第２外上方切欠孔２２ｂが設けられ、下方に取り付けられる取付部５２Ａに対応する部位に第１外下方切欠孔２２ｃ及び第２外下方切欠孔２２ｄが設けられている。第１外上方切欠孔２２ａは、室外ハンドル５０Ａのキーシリンダ５６を挿通するための円形状を成すものである。第２外上方切欠孔２２ｂは、室外ハンドル５０Ａの連係部材５４（図８参照）及び２つのボス部５５を挿通するための略矩形状を成すものである。第１外下方切欠孔２２ｃは、室外ハンドル５０Ａのキーシリンダ５６を挿通するためのもの円形状を成すものである。第２外下方切欠孔２２ｄは、室外ハンドル５０Ａのボス部５５等を挿通するための矩形状を成すものである。
【００２０】
また、内表面材２３には、図５（ｂ）に示すように、室内ハンドル５０Ｂの上方に取り付けられる取付部５２Ｂに対応する部位に内上方切欠孔２３ａが設けられ、下方に取り付けられる取付部５２Ｂに対応する部位に内下方切欠孔２３ｂが設けられている。内上方切欠孔２３ａ及び内下方切欠孔２３ｂは、それぞれサムターン５３の出力部材（図示せず）を挿通するための円形状を成すものである。なお、図５中の符号２２ｅ，２３ｃは、それぞれハンドル５０Ａ，５０Ｂのボス部５５のみを挿通するためのボス孔である。
【００２１】
一方、これらの表面材の間に配設される錠部芯材は、別個に成形した室外側部分３０Ａと室内側部分３０Ｂとを組み合わせることによって一体的に構成したもので、内部に上下２つの収容部３５Ａ，３５Ｂを有している。上方の収容部（以下、区別する場合に上方収容部３５Ａという）は、上方錠ユニット４０Ａを収容するための空間であり、下方の収容部（以下、区別する場合に下方収容部３５Ｂという）は、下方錠ユニット４０Ｂを収容するための空間である。これら上方収容部３５Ａ及び下方収容部３５Ｂは、錠部芯材３０の一端面３１ａに開口しており、それぞれの開口から上方錠ユニット４０Ａのケース本体４１Ａ及び下方錠ユニット４０Ｂのケース本体４１Ｂを挿入することが可能である。
【００２２】
この錠部芯材３０には、表面材２２，２３の切欠孔２２ａ，２２ｂ，２２ｃ，２２ｄ，２３ａ，２３ｂ及びボス孔２２ｅ，２３ｃに対向する部位に複数の開口部３６，３７が設けてある。開口部３６，３７は、錠部芯材３０の収容部３５Ａ，３５Ｂを外部に連通させるものである。本実施の形態では、室外側部分３０Ａに外上方開口部３６Ａ及び外下方開口部３７Ａが設けてあり、室内側部分３０Ｂに内上方開口部３６Ｂ及び内下方開口部３７Ｂが設けてある。外上方開口部３６Ａは、外表面材２２の第１外上方切欠孔２２ａ及び第２外上方切欠孔２２ｂを含む大きさに形成した縦長の開口であり、外下方開口部３７Ａは、外表面材２２の第１外下方切欠孔２２ｃ及び第２外下方切欠孔２２ｄを含む大きさに形成した縦長の開口である。内上方開口部３６Ｂは、内上方切欠孔２３ａ及び上方のボス孔２３ｃを含む大きさに形成した異形の開口であり、内下方開口部３７Ｂは、内下方切欠孔２３ｂ及び下方のボス孔２３ｃを含む大きさに形成した異形の開口である。
【００２３】
錠部芯材３０の外下方開口部３７Ａには、図６及び図７に示すように、錠カバー６０が装着してある。錠カバー６０は、図９に示すように、矩形状を成す基準プレート部６１の四辺にそれぞれ支持プレート部６２を有したもので、ステンレス等の金属によって構成してある。基準プレート部６１には、室外ハンドル５０Ａのキーシリンダ５６、ボス部５５を挿通することのできる大きさの挿通孔６１ａが形成してある。支持プレート部６２は、外下方開口部３７Ａの内周面を覆うように配置されるもので、個々の内方側表面に熱膨張性部材６３が取り付けてある。熱膨張性部材６３は、熱により膨張する不燃性または難燃性の耐火部材であり、例えば、熱膨張性を有した黒鉛含有の発泡材を適用することができる。また、錠カバー６０には、外下方開口部３７Ａの上下に対応する部分に爪部６４が設けてある。爪部６４は、支持プレート部６２よりも外周側に突出する板状部分であり、それぞれのほぼ中央となる部位に配設してある。図７に示すように、錠部芯材３０の室外側部分３０Ａにおいて室外側となる表面には、外下方開口部３７Ａの上下となる部位に爪部６４を配置することのできる係止凹部３８が設けてある。上述の錠カバー６０は、支持プレート部６２を外下方開口部３７Ａに挿入し、かつ爪部６４をそれぞれ係止凹部３８に配置した状態で錠部芯材３０の室外側部分３０Ａに装着してある。
【００２４】
このドアパネル２０では、錠部芯材３０の収容部３５Ａ，３５Ｂに上方錠ユニット４０Ａ及び下方錠ユニット４０Ｂを配設した状態で、外表面材２２の表面に室外ハンドル５０Ａが取り付けられるとともに、内表面材２３の表面に室内ハンドル５０Ｂが取り付けられ、それぞれのハンドル５０Ａ，５０Ｂと錠ユニット４０Ａ，４０Ｂとの間が互いに連係される。
【００２５】
上記のように構成したドアパネル２０を備える建具によれば、火災発生時等のようにドアパネル２０が高温に晒された場合には、錠カバー６０に配設した熱膨張性部材６３が膨張し、膨張した熱膨張性部材６３によって外表面材２２の第１外下方切欠孔２２ｃ及び第２外下方切欠孔２２ｄが閉塞された状態となる。このとき、錠カバー６０を支持する錠部芯材３０は、熱膨張性部材６３が膨張する以前に熱によって溶融、もしくは焼失するおそれがある。しかしながら、錠カバー６０の挿通孔６１ａには、室外ハンドル５０Ａのキーシリンダ５６やボス部５５が挿通した状態にあるため、錠部芯材３０による支持力が無くなった後においても、これらキーシリンダ５６やボス部５５によって外表面材２２の第１外下方切欠孔２２ｃ及び第２外下方切欠孔２２ｄに対応する位置に維持される。従って、外表面材２２の第１外下方切欠孔２２ｃ及び第２外下方切欠孔２２ｄを確実に閉塞することができ、仮に、本体芯材２４や錠部芯材３０から可燃性ガスが発生したとしても、これらの切欠孔２２ｃ，２２ｄを通じて外部に漏出するおそれがなく、防火性を向上することができる。
【００２６】
なお、上述した実施の形態では、錠部芯材３０において表面材２２の第１外下方切欠孔２２ｃ及び第２外下方切欠孔２２ｄに対応する外下方開口部３７Ａにのみ錠カバー６０を配設するようにしているが、その他の切欠孔２２ａ，２２ｂに対応する外上方開口部３６Ａに同様の構成を有する錠カバーを配設してももちろん良い。また、錠カバーは、内表面材２３に形成した内上方切欠孔２３ａや内下方切欠孔２３ｂを閉塞対象として、錠部芯材３０の内上方開口部３６Ｂや内下方開口部３７Ｂに配設しても良い。錠部芯材３０の内上方開口部３６Ｂや内下方開口部３７Ｂに錠カバーを配設した場合には、サムターン５３の出力部材が錠カバーに挿通されることになる。従って、錠部芯材３０による支持力が無くなった後においては、サムターン５３やボス部５５によって内表面材２３の内上方切欠孔２３ａや内下方切欠孔２３ｂに対応する位置に維持されることになる。なお、この場合、錠カバーの形状は、必ずしも矩形状である必要はなく、配設する切欠孔の形状に応じて適宜変形すれば良い。
【００２７】
以上のように、本発明に係る建具用面材は、表面材の相互間に配設され、戸先となる縁部に切欠部が設けられた本体芯材と、前記本体芯材の切欠部に装着され、内部に錠ユニットを収容した錠部芯材と、前記表面材の表面に取り付けたハンドルとを備え、前記表面材に形成した切欠孔及び前記錠部芯材に形成した開口部を介して前記錠ユニットと前記ハンドルの操作出力部との間を連係することにより、前記ハンドルからの操作によって前記錠ユニットの係合部材が動作可能となる建具用面材であって、前記錠部芯材の開口部には、前記操作出力部の周囲を取り囲むように錠カバーが設けられ、前記錠カバーにおいて前記操作出力部に対向する部位に熱膨張性部材が設けられていることを特徴としている。
【００２８】
この発明によれば、火災発生時においては錠カバーに設けた熱膨張性部材が膨張し、膨張した熱膨張性部材によって表面材の切欠孔が閉塞されることになる。しかも、錠カバーにはハンドルの操作出力部が挿通している。このため、錠カバーが装着された錠部芯材が溶融、もしくは焼失したとしても、錠カバーが脱落するおそれはなく、切欠孔を閉塞することが可能である。これらの結果、表面材の相互間に可燃性ガスが発生した場合にも、この可燃性ガスが切欠孔を通じて外部に漏出する事態を防止することができ、防火性の点で有利となる。
【００２９】
また本発明は、上述した建具用面材において、前記錠部芯材の開口部は矩形状の開口を有したものであり、前記錠カバーは、矩形状を成す基準プレート部の四辺にそれぞれ支持プレート部を有したものであり、前記基準プレート部には、前記操作出力部を挿通可能とする挿通孔が設けられ、前記支持プレート部の内方側表面に前記熱膨張性部材が取り付けられていることを特徴としている。
【００３０】
この発明によれば、錠カバーを矩形状に構成しているため、例えば基準プレート部の四辺を折り曲げることで支持プレート部を構成することができる等、錠カバーを比較的容易に成形することが可能となる。
【００３１】
また本発明は、上述した建具用面材において、前記錠カバーには、前記支持プレート部よりも外周側に突出する爪部が設けられ、前記錠部芯材において前記開口部の周囲となる部位の表面には、前記爪部に係合する係止凹部が設けられていることを特徴としている。
【００３２】
この発明によれば、爪部を係止凹部に係合させることで錠部芯材に錠カバーを位置決めした状態で取り付けることが可能となる。
【００３３】
また、本発明に係る建具は、上述した建具用面材と、前記建具用面材を開閉可能に支持する枠体とを備えたことを特徴としている。
【００３４】
この発明によれば、上述の作用効果を奏する建具を提供することができる。
【符号の説明】
【００３５】
１０  枠体、２０  ドアパネル、２２，２３  表面材、２２ａ，２２ｂ，２２ｃ，２２ｄ，２３ａ，２３ｂ  切欠孔、２４  本体芯材、２５  切欠部、３０  錠部芯材、３６Ａ，３６Ｂ，３７Ａ，３７Ｂ  開口部、３８  係止凹部、４０Ａ，４０Ｂ  錠ユニット、４３Ａ，４３Ｂ  デッドボルト、４４Ａ  ラッチボルト、５０Ａ，５０Ｂ  ハンドル、５３  サムターン、５６  キーシリンダ、６０  錠カバー、６１  基準プレート部、６１ａ  挿通孔、６２  支持プレート部、６３  熱膨張性部材、６４  爪部
【図１】
2020029690.tif 000003
【図２】
2020029690.tif 000004
【図３】
2020029690.tif 000005
【図４】
2020029690.tif 000006
【図５】
2020029690.tif 000007
【図６】
2020029690.tif 000008
【図７】
2020029690.tif 000009
【図８】
2020029690.tif 000010
【図９】
2020029690.tif 000011